(57)【要約】【課題】廉価で、信頼性の高い電力変換装置を提供する。【解決手段】  出力端子を多段に接続された複数の電力変換セル１０１〜１０Ｎと、信号を伝達するバス回路１０００と、を備え、一つの前記電力変換セル１０１の演算部２３０は、すべての電力変換セル１０１〜１０Ｎを統合して制御する制御情報信号を生成し、絶縁通信を介してバス回路１０００に送信し、複数の電力変換セル１０１〜１０Ｎは、バス回路１０００から制御情報信号を受信して、絶縁通信を介してそれぞれの演算部２３０に送り、それぞれの演算部２３０は、制御情報信号からそれぞれの電力変換セル１０１〜１０Ｎを制御するスイッチング情報を抽出し、それぞれのゲート部２３１は、入力したスイッチング情報に基づき、それぞれの前記スイッチング素子部２３２を制御する。【選択図】  図１
2018196188.tif 000002
【特許請求の範囲】
【請求項１】
出力端子を多段に接続された複数の電力変換セルと、
複数の前記電力変換セル間で信号を伝達するバス回路と、
を備え、
前記電力変換セルは、それぞれ内部にコントローラ部と電力変換部とを具備し、
前記コントローラ部は、
前記バス回路から受信した信号を絶縁通信で内部の前記電力変換部に送信するコントローラ側絶縁通信送信部と、
前記電力変換部からの絶縁通信での信号を受信して、前記バス回路へ送信するコントローラ側絶縁通信受信部と、を有し、
前記電力変換部は、
複数の前記電力変換セルの一部または全部の電力変換セルを統合して制御する制御情報信号を生成する演算部と、
前記演算部に制御されるゲート部と、
前記ゲート部で駆動されるスイッチング素子部と、
前記演算部で生成された制御情報信号を前記コントローラ側絶縁通信受信部へと絶縁通信で送信する電力変換側絶縁通信送信部と、
前記バス回路からの信号を受信した前記コントローラ側絶縁通信送信部が絶縁通信で送信した信号を受信する電力変換側絶縁通信受信部と、を有し、
前記演算部は、前記バス回路を介して受信した制御情報信号に基づき前記スイッチング素子部を制御する、
ことを特徴とする電力変換装置。
【請求項２】
請求項１において、
複数の電力変換セルにおける一つの前記電力変換セルの前記演算部が、一部又は全部の電力変換セルを統合して制御する制御情報信号を生成し、
当該制御情報信号は、
前記複数の電力変換セルの任意の電力変換セルの識別子を有するスイッチング信号と、
すべての電力変換セルが受信する識別子を有する同期信号と、
を備える、
ことを特徴とする電力変換装置。
【請求項３】
請求項１または請求項２において、
複数の電力変換セルにおける一つの前記電力変換セルの前記演算部が入力する信号は、
一つの前記電力変換セルの識別子を有するスイッチング信号と、
すべての前記電力変換セルが受信する識別子を有する同期信号と、
を備える、
ことを特徴とする電力変換装置。
【請求項４】
請求項３において、
複数の電力変換セルにおける一つの前記電力変換セルの前記電力変換部は、該電力変換部の演算部が前記同期信号を受信した場合に、当該同期信号を受信する前に前記演算部が受信した一つの前記電力変換セルの識別子を有するスイッチング信号に基づいて電力変換を行う、
ことを特徴とする電力変換装置。
【請求項５】
請求項１において、
すべての電力変換セルを統合して制御する制御情報信号を生成する複数の電力変換セルにおける一つの前記電力変換セルの前記演算部の機能を、複数の電力変換セルにおける他の前記電力変換セルのいずれかの前記演算部に置き換えることができる、
ことを特徴とする電力変換装置。
【請求項６】
請求項１において、
出力端子を多段に接続された複数の電力変換セルの構成は、直列に接続されている、
ことを特徴とする電力変換装置。
【請求項７】
請求項１において、
前記絶縁通信は、光通信である、
ことを特徴とする電力変換装置。
【請求項８】
請求項１に記載の電力変換装置において、
前記複数の電力変換セルにおける一つの前記電力変換セルが生成した制御情報信号を一つの前記電力変換セルがバス回路に送り、
複数の電力変換セルは、前記バス回路から前記制御情報信号を入力し、
それぞれの電力変換セルは、前記制御情報信号が有する電力変換セルの識別子に基づき、それぞれの電力変換セルのスイッチング情報を前記制御情報信号から抽出する、
ことを特徴とする電力変換装置の通信方法。
【請求項９】
請求項８において、
前記制御情報信号は、同期信号を有し、
該同期信号をトリガーとして前記スイッチング情報を抽出する、
ことを特徴とする電力変換装置の通信方法。
【請求項１０】
請求項８において、
前記制御情報信号が有する電力変換セルの識別子は、
宛先が特定の一つの電力変換セルが受け取る情報に付加するユニキャスト用の識別子と、
宛先が特定の複数の電力変換セルが受け取る情報に付加するマルチキャスト用の識別子と、
すべての電力変換セルが受け取る情報に付加するブロードキャスト用の識別子と、
を有する、
ことを特徴とする電力変換装置の通信方法。
【発明の詳細な説明】
【技術分野】
【０００１】
本発明は、電力変換装置、および電力変換装置の通信方法に関する。
【背景技術】
【０００２】
高電圧または大容量の電力変換においては、複数の電力変換セルを直列または並列に接続した電力変換装置が用いられる。従来の多段の電力変換装置では、各セルの対地電圧が高いため、各セルと中央制御との間を、光ファイバを用いて接続し、絶縁通信を行っていた。
このような機能と構成を備えた電力変換装置として、例えば、特許文献１がある。
特許文献１の要約には、「［課題］本発明は、カスケード接続された複数のセルから構成される電力変換装置において、制御・通信に用いる光ファイバのうち、複数セルの出力電圧に対する絶縁耐力を備えた高耐圧光ファイバケーブルの少なくとも大部分を削減し、１つのセルの出力電圧に対する絶縁耐力を備えた低耐圧光ファイバケーブルの使用を可能とする。また、光ファイバケーブルの必要な長さを短縮する。［解決手段］カスケード接続された複数のセルから構成される電力変換装置１０３であって、該電力変換装置１０３の制御装置は、中央制御装置１０７と、各セルと同電位の近傍に設置したセル制御装置２０４とから構成されており、前記中央制御装置１０７と各セル制御装置２０４は光ファイバケーブル１１１〜１１４でデイジーチェーン接続されていることを特徴とする電力変換装置。」と記載され、電力変換装置の技術が開示されている。
【先行技術文献】
【特許文献】
【０００３】
【特許文献１】特開２０１１−２４３９３号公報
【発明の概要】
【発明が解決しようとする課題】
【０００４】
しかしながら、特許文献１に開示された技術では、絶縁通信で用いる光ファイバの長さが長くなり、価格が高くなる課題がある。また、光ファイバは鋭角に曲げることができないため、スペースが必要となり装置の筐体が大きくなるという課題がある。さらに、通信経路が直列であるため、途中のセルが故障すると、その先のセルとは通信を行うことができないという課題がある。
また、各セルで信号を受信し次のセルに送信すると、各々でタイムラグが発生し高い同期を取ることに課題がある。中央制御装置が故障し、運転に関する情報を送信できないと、電力変換装置を動作させることができない課題がある。
【０００５】
本発明は、前記した課題に鑑みて創案されたものであって、廉価で、信頼性の高い電力変換装置を提供することを課題とする。
【課題を解決するための手段】
【０００６】
前記の課題を解決するために、本発明を以下のように構成した。
すなわち、本発明の電力変換装置は、出力端子を多段に接続された複数の電力変換セルと、複数の前記電力変換セル間で信号を伝達するバス回路と、を備え、前記電力変換セルは、それぞれ内部にコントローラ部と電力変換部とを具備し、前記コントローラ部は、前記バス回路から受信した信号を絶縁通信で内部の前記電力変換部に送信するコントローラ側絶縁通信送信部と、前記電力変換部からの絶縁通信での信号を受信して、前記バス回路へ送信するコントローラ側絶縁通信受信部と、を有し、前記電力変換部は、複数の前記電力変換セルの一部または全部の電力変換セルを統合して制御する制御情報信号を生成する演算部と、前記演算部に制御されるゲート部と、前記ゲート部で駆動されるスイッチング素子部と、前記演算部で生成された制御情報信号を前記コントローラ側絶縁通信受信部へと絶縁通信で送信する電力変換側絶縁通信送信部と、前記バス回路からの信号を受信した前記コントローラ側絶縁通信送信部が絶縁通信で送信した信号を受信する電力変換側絶縁通信受信部と、を有し、前記演算部は、前記バス回路を介して受信した制御情報信号に基づき前記スイッチング素子部を制御する、ことを特徴とする。
また、その他の手段は、発明を実施するための形態のなかで説明する。
【発明の効果】
【０００７】
本発明によれば、廉価で、信頼性の高い電力変換装置を提供することができる。
【図面の簡単な説明】
【０００８】
【図１】本発明の実施形態に係る電力変換装置を構成する複数の電力変換セルの構成例を示す図である。
【図２】本発明の実施形態に係る電力変換装置の構成の第１例を示す図である。
【図３】本発明の実施形態に係る電力変換装置の構成の第２例を示す図である。
【図４】本発明の実施形態に係る電力変換装置の構成の第３例を示す図である。
【図５】本発明の実施形態に係る電力変換装置の構成の第４例を示す図である。
【図６】本発明の実施形態に係る通信方法の概要を示すフローチャートである。
【図７】本発明の実施形態に係る電力変換装置の複数の電力変換セルにおいて通信に用いられる識別子付のスイッチング情報の構成例を示す図である。
【図８】本発明の実施形態に係る複数の電力変換セルの通信において、ユニキャストで送られた電力変換セル宛の運転に関する情報と、同期信号の時刻の関係の一例を示す図である。
【発明を実施するための形態】
【０００９】
以下、本発明を実施するための形態（以下においては「実施形態」と表記する）を、適宜、図面を参照して説明する。
【００１０】
《電力変換セルの概要》
図１は、本発明の実施形態に係る電力変換装置を構成する複数（Ｎ個）の電力変換セル１０１，・・・，１０Ｋ，・・・，１０Ｎの構成例を示す図である。ただし、１＜Ｋ＜Ｎとする。
図１において、電力変換セル１０１は、コントローラ部１１０Ｃと電力変換部１２０Ｐを備えている。
コントローラ部１１０Ｃは、コントローラ側絶縁通信送信部２１０Ｔとコントローラ側絶縁通信受信部２１０Ｒを備えている。
電力変換部１２０Ｐは、電力変換側絶縁通信受信部２２０Ｒと、電力変換側絶縁通信送信部２２０Ｔと、演算部２３０と、ゲート部２３１と、スイッチング素子部２３２とを備えている。
また、スイッチング素子部２３２において、出力端子ＳＡ１０１と出力端子ＳＢ１０１を有している。
【００１１】
コントローラ部１１０Ｃのコントローラ側絶縁通信送信部２１０Ｔは、電力変換部１２０Ｐの電力変換側絶縁通信受信部２２０Ｒへ絶縁通信を行う。
電力変換部１２０Ｐの電力変換側絶縁通信送信部２２０Ｔは、コントローラ部１１０Ｃのコントローラ側絶縁通信受信部２１０Ｒへ絶縁通信を行う。
この絶縁通信は、例えば、光ファイバによる光通信で行われる。光通信であるので、電力変換セル１０１が高電圧を扱う場合でも、絶縁耐圧に関する問題は起こらない。また、同じ電力変換セル１０１内部の通信であるので、光通信の経路は短距離である。
また、コントローラ側絶縁通信送信部２１０Ｔとコントローラ側絶縁通信受信部２１０Ｒは、それぞれバス（バス回路、通信線）１０００に接続されている。
【００１２】
電力変換部１２０Ｐにおいて、演算部２３０は、電力変換セル１０１におけるゲート部２３１の制御、あるいは、その他の電力変換セル１０２，・・・，１０Ｋ，・・・，１０Ｎの制御を行うための演算をする。
ゲート部２３１は、スイッチング素子部２３２の開閉を行う駆動信号を供給する。
また、前記したように、スイッチング素子部２３２は、出力端子ＳＡ１０１と出力端子ＳＢ１０１との間の開閉を行う。
【００１３】
《複数の電力変換セルについて》
図１において、電力変換セル１０１とハードとしては同一構成であるＮ個の電力変換セル１０１，・・・，１０Ｋ，・・・１０Ｎを示している。
電力変換セル１０１，・・・，１０Ｋ，・・・，１０Ｎのコントローラ部１１０Ｃ間の通信は、バス１０００を共用して、並列に接続され、互いに通信を行っている。
なお、バス１０００は、電気信号による１本または複数本の回線である。
また、電力変換セル１０１，・・・，１０Ｋ，・・・，１０Ｎにおけるそれぞれの二つの出力端子（ＳＡ１０１，ＳＢ１０１），・・・，（ＳＡ１０Ｋ，ＳＢ１０Ｋ），・・・，（ＳＡ１０Ｎ，ＳＢ１０Ｎ）が電気的に直列に接続されている。
【００１４】
なお、以上において、電力変換セル１０１の二つの出力端子を（ＳＡ１０１，ＳＢ１０１）の符号で表記している。また、電力変換セル１０Ｋと電力変換セル１０Ｎにおける二つの出力端子を、それぞれ（ＳＡ１０Ｋ，ＳＢ１０Ｋ）、（ＳＡ１０Ｎ，ＳＢ１０Ｎ）の符号で表記している。同様の規則で、以下の図２〜図５においても、各電力変換セルの二つの出力端子の符号で表記するものとする。
【００１５】
《電力変換装置の第１例》
以上の電力変換セルが、電力変換装置として、どのように用いられるかを説明する。
図２は、本発明の実施形態に係る電力変換装置１０の構成の第１例を示す図である。
図２において、電力変換セル１０１，・・・，１０Ｋ，・・・，１０Ｎ、および電力変換セル１１１，・・・，１１Ｋ，・・・，１１Ｎは、それぞれの二つの出力端子が電気的に直列に接続され、前記の複数の電力変換セルが多段の構成となっている。
電力変換セル１０１の一方の出力端子（ＳＡ１０１）は、正極性配線１２０１ｐに接続されている。
電力変換セル１１Ｎの一方の出力端子（ＳＢ１１Ｎ）は、負極性配線１２０１ｎに接続されている。
【００１６】
正極性配線１２０１ｐと負極性配線１２０１ｎとの間に負荷３０１が接続されている。
電力変換セル１０Ｎの一方の出力端子（ＳＢ１０Ｎ）と電力変換セル１１１の一方の出力端子（ＳＡ１１１）は、互いに接続され、かつ交流電源３１１からこの接続点と負極性配線１２０１ｎとの間に交流電力を入力している。
電力変換セル１０１，・・・，１０Ｋ，・・・，１０Ｎ、および電力変換セル１１１，・・・，１１Ｋ，・・・，１１Ｎは、バス１０００を共有して、前記の電力変換セルの通信線が並列に接続され、互い通信を行っている。
【００１７】
電力変換装置１０は、電力変換セル１０１，・・・，１０Ｋ，・・・，１０Ｎ、および電力変換セル１１１，・・・，１１Ｋ，・・・，１１Ｎを用い、バス１０００を共有して、互い通信を行って電力変換セル１０１，・・・，１０Ｋ，・・・，１０Ｎ、および電力変換セル１１１，・・・，１１Ｋ，・・・，１１Ｎを統合的に制御する。そして、交流電源３１１から入力した交流電力（電圧）を直流電力（電圧）に変換して、負荷３０１に供給する。
なお、電力変換セル１０１，・・・，１０Ｋ，・・・，１０Ｎ、および電力変換セル１１１，・・・，１１Ｋ，・・・，１１Ｎの動作の詳細については、電力変換セル１０１，・・・，１０Ｋ，・・・，１０Ｎを代表して、後記する。
【００１８】
《電力変換装置の第２例》
図３は、本発明の実施形態に係る電力変換装置の構成の第２例を示す図である。
図３において、電力変換セル１０１，・・・，１０Ｋ，・・・，１０Ｎ、および電力変換セル１１１，・・・，１１Ｋ，・・・，１１Ｎは、それぞれの二つの出力端子が電気的に直列に接続され、前記の複数の電力変換セルが多段の構成となっている。
電力変換セル１０１の一方の出力端子（ＳＡ１０１）は、正極性配線１３０１ｐに接続されている。
電力変換セル１１Ｎの一方の出力端子（ＳＢ１１Ｎ）は、負極性配線１３０１ｎに接続されている。
【００１９】
正極性配線１３０１ｐと負極性配線１３０１ｎとの間に負荷３０２が接続されている。
電力変換セル１０Ｎの一方の出力端子（ＳＢ１０Ｎ）と電力変換セル１１１の一方の出力端子（ＳＡ１１１）は、互いに接続され、かつ三相交流電源３１２のＵ端子からこの接続点にＵ相の交流電力を入力している。
電力変換セル１０１，・・・，１０Ｋ，・・・，１０Ｎ、および電力変換セル１１１，・・・，１１Ｋ，・・・，１１Ｎは、バス１０００Ｕを共有して、前記の電力変換セルの通信線が並列に接続され、互いに通信を行っている。
【００２０】
また、図３において、電力変換セル１２１，・・・，１２Ｋ，・・・，１２Ｎ、および電力変換セル１３１，・・・，１３Ｋ，・・・，１３Ｎは、それぞれの二つの出力端子が電気的に直列に接続され、前記の複数の電力変換セルが多段の構成となっている。
電力変換セル１２１の一方の出力端子（ＳＡ１２１）は、正極性配線１３０１ｐに接続されている。
電力変換セル１３Ｎの一方の出力端子（ＳＢ１３Ｎ）は、負極性配線１３０１ｎに接続されている。
【００２１】
電力変換セル１２Ｎの一方の出力端子（ＳＢ１２Ｎ）と電力変換セル１３１の一方の出力端子（ＳＡ１３１）は、互いに接続され、かつ三相交流電源３１２のＶ端子からこの接続点にＶ相の交流電力を入力している。
電力変換セル１２１，・・・，１２Ｋ，・・・，１２Ｎ、および電力変換セル１３１，・・・，１３Ｋ，・・・，１３Ｎは、バス１０００Ｖを共有して、前記の電力変換セルの通信線が並列に接続され、互いに通信を行っている。
【００２２】
また、図３において、電力変換セル１４１，・・・，１４Ｋ，・・・，１４Ｎ、および電力変換セル１５１，・・・，１５Ｋ，・・・，１５Ｎは、それぞれの二つの出力端子が電気的に直列に接続され、前記の複数の電力変換セルが多段の構成となっている。
電力変換セル１４１の一方の出力端子（ＳＡ１４１）は、正極性配線１３０１ｐに接続されている。
電力変換セル１５Ｎの一方の出力端子（ＳＢ１５Ｎ）は、負極性配線１３０１ｎに接続されている。
【００２３】
電力変換セル１４Ｎの一方の出力端子（ＳＢ１４Ｎ）と電力変換セル１５１の一方の出力端子（ＳＡ１５１）は、互いに接続され、かつ三相交流電源３１２のＷ端子からこの接続点にＷ相の交流電力を入力している。
電力変換セル１４１，・・・，１４Ｋ，・・・，１４Ｎ、および電力変換セル１５１，・・・，１５Ｋ，・・・，１５Ｎは、バス１０００Ｗを共有して、前記の電力変換セルの通信線が並列に接続され、互いに通信を行っている。
【００２４】
電力変換装置２０は、電力変換セル１０１，・・・，１０Ｋ，・・・，１０Ｎ、および電力変換セル１１１，・・・，１１Ｋ，・・・，１１Ｎを用い、バス１０００Ｕを共有して、互い通信を行って統合的に、電力変換セル１０１，・・・，１０Ｋ，・・・，１０Ｎ、および電力変換セル１１１，・・・，１１Ｋ，・・・，１１Ｎを統合的に制御する。そして、三相交流電源３１２から入力したＵ相の交流電力（電圧）を直流電力（電圧）に変換して、負荷３０２に供給する。
【００２５】
また、電力変換装置２０は、電力変換セル１２１，・・・，１２Ｋ，・・・，１２Ｎ、および電力変換セル１３１，・・・，１３Ｋ，・・・，１３Ｎを用い、バス１０００Ｖを共有して、互い通信を行って統合的に、電力変換セル１２１，・・・，１２Ｋ，・・・，１２Ｎ、および電力変換セル１３１，・・・，１３Ｋ，・・・，１３Ｎを統合的に制御する。そして、三相交流電源３１２から入力したＶ相の交流電力（電圧）を直流電力（電圧）に変換して、負荷３０２に供給する。
【００２６】
また、電力変換装置２０は、電力変換セル１４１，・・・，１４Ｋ，・・・，１４Ｎ、および電力変換セル１５１，・・・，１５Ｋ，・・・，１５Ｎを用い、バス１０００Ｗを共有して、互い通信を行って統合的に、電力変換セル１４１，・・・，１４Ｋ，・・・，１４Ｎ、および電力変換セル１５１，・・・，１５Ｋ，・・・，１５Ｎを統合的に制御する。そして、三相交流電源３１２から入力したＷ相の交流電力（電圧）を直流電力（電圧）に変換して、負荷３０２に供給する。
【００２７】
以上のようにして、電力変換装置２０は、三相交流電源３１２から入力した三相交流電力を直流電力に変換し、負荷３０２に供給する。
なお、図３において、バス１０００Ｕ，１０００Ｖ，１０００Ｗを、それぞれ独立に表記したが、バス１０００Ｕ，１０００Ｖ，１０００Ｗを一つのバスとして、統合的に、すべての電力変換セルを制御してもよい。
【００２８】
《電力変換装置の第３例》
図４は、本発明の実施形態に係る電力変換装置の構成の第３例を示す図である。
図４において、電力変換セル１０１，・・・，１０Ｋ，・・・，１０Ｎ、および電力変換セル１１１，・・・，１１Ｋ，・・・，１１Ｎは、それぞれの二つの出力端子が電気的に直列に接続され、前記の複数の電力変換セルが多段の構成となっている。
電力変換セル１０１の一方の出力端子（ＳＡ１０１）は、正極性配線１４０１ｐに接続されている。
電力変換セル１１Ｎの一方の出力端子（ＳＢ１１Ｎ）は、負極性配線１４０１ｎに接続されている。
また、正極性配線１４０１ｐと負極性配線１４０１ｎとの間に直流電力（電圧）が供給されている。
【００２９】
電力変換セル１０Ｎの一方の出力端子（ＳＢ１０Ｎ）と電力変換セル１１１の一方の出力端子（ＳＡ１１１）は、互いに接続され、この接続点と負極性配線１４０１ｎとの間に負荷３０３が接続されている。
電力変換セル１０１，・・・，１０Ｋ，・・・，１０Ｎ、および電力変換セル１１１，・・・，１１Ｋ，・・・，１１Ｎは、バス１０００を共有して、前記の電力変換セルの通信線が並列に接続され、互いに通信を行っている。
【００３０】
電力変換装置３０は、電力変換セル１０１，・・・，１０Ｋ，・・・，１０Ｎ、および電力変換セル１１１，・・・，１１Ｋ，・・・，１１Ｎを用い、バス１０００を共有して、互い通信を行って、電力変換セル１０１，・・・，１０Ｋ，・・・，１０Ｎ、および電力変換セル１１１，・・・，１１Ｋ，・・・，１１Ｎを統合的に制御する。
そして、正極性配線１４０１ｐと負極性配線１４０１ｎとの間から供給された直流電力（電圧）を、交流電力（電圧）に変換して、負荷３０３に供給する。
なお、電力変換セル１０１，・・・，１０Ｋ，・・・，１０Ｎ、および電力変換セル１１１，・・・，１１Ｋ，・・・，１１Ｎの動作の詳細については、電力変換セル１０１，・・・，１０Ｋ，・・・，１０Ｎを代表して、後記する。
【００３１】
《電力変換装置の第４例》
図５は、本発明の実施形態に係る電力変換装置の構成の第４例を示す図である。
図５において、電力変換セル１０１，・・・，１０Ｋ，・・・，１０Ｎ、および電力変換セル１１１，・・・，１１Ｋ，・・・，１１Ｎは、それぞれの二つの出力端子が電気的に直列に接続され、前記の複数の電力変換セルが多段の構成となっている。
電力変換セル１０１の一方の出力端子（ＳＡ１０１）は、正極性配線１５０１ｐに接続されている。
電力変換セル１１Ｎの一方の出力端子（ＳＢ１１Ｎ）は、負極性配線１５０１ｎに接続されている。
また、正極性配線１５０１ｐと負極性配線１５０１ｎとの間に直流電力（電圧）が供給されている。
【００３２】
電力変換セル１０Ｎの一方の出力端子（ＳＢ１０Ｎ）と電力変換セル１１１の一方の出力端子（ＳＡ１１１）は、互いに接続され、かつ、この接続点から三相モータ３１３へ三相交流電圧（電力）のＵ相の電圧が供給される。
電力変換セル１０１，・・・，１０Ｋ，・・・，１０Ｎ、および電力変換セル１１１，・・・，１１Ｋ，・・・，１１Ｎは、バス１０００Ｕを共有して、前記の電力変換セルの通信線が並列に接続され、互いに通信を行っている。
【００３３】
また、図５において、電力変換セル１２１，・・・，１２Ｋ，・・・，１２Ｎ、および電力変換セル１３１，・・・，１３Ｋ，・・・，１３Ｎは、それぞれの二つの出力端子が電気的に直列に接続され、前記の複数の電力変換セルが多段の構成となっている。
電力変換セル１２１の一方の出力端子（ＳＡ１２１）は、正極性配線１５０１ｐに接続されている。
電力変換セル１３Ｎの一方の出力端子（ＳＢ１３Ｎ）は、負極性配線１５０１ｎに接続されている。
【００３４】
電力変換セル１２Ｎの一方の出力端子（ＳＢ１２Ｎ）と電力変換セル１３１の一方の出力端子（ＳＡ１３１）は、互いに接続され、かつ、この接続点から三相モータ３１３へ三相交流電圧（電力）のＶ相の電圧が供給される。
電力変換セル１２１，・・・，１２Ｋ，・・・，１２Ｎ、および電力変換セル１３１，・・・，１３Ｋ，・・・，１３Ｎは、バス１０００Ｖを共有して、前記の電力変換セルの通信線が並列に接続され、互いに通信を行っている。
【００３５】
また、図５において、電力変換セル１４１，・・・，１４Ｋ，・・・，１４Ｎ、および電力変換セル１５１，・・・，１５Ｋ，・・・，１５Ｎは、それぞれの二つの出力端子が電気的に直列に接続され、前記の複数の電力変換セルが多段の構成となっている。
電力変換セル１４１の一方の出力端子（ＳＡ１４１）は、正極性配線１５０１ｐに接続されている。
電力変換セル１５Ｎの一方の出力端子（ＳＢ１５Ｎ）は、負極性配線１５０１ｎに接続されている。
【００３６】
電力変換セル１４Ｎの一方の出力端子（ＳＢ１４Ｎ）と電力変換セル１５１の一方の出力端子（ＳＡ１５１）は、互いに接続され、かつ、この接続点から三相モータ３１３へ三相交流電圧（電力）のＷ相の電圧が供給される。
電力変換セル１４１，・・・，１４Ｋ，・・・，１４Ｎ、および電力変換セル１５１，・・・，１５Ｋ，・・・，１５Ｎは、バス１０００Ｗを共有して、前記の電力変換セルの通信線が並列に接続され、互いに通信を行っている。
【００３７】
電力変換装置４０は、電力変換セル１０１，・・・，１０Ｋ，・・・，１０Ｎ、および電力変換セル１１１，・・・，１１Ｋ，・・・，１１Ｎを用い、バス１０００Ｕを共有して、互い通信を行って、電力変換セル１０１，・・・，１０Ｋ，・・・，１０Ｎ、および電力変換セル１１１，・・・，１１Ｋ，・・・，１１Ｎを統合的に制御する。
そして、正極性配線１５０１ｐと負極性配線１５０１ｎとの間から供給された直流電力（電圧）を、三相交流電力のＵ相の交流電圧に変換して、三相モータ３１３に供給する。
【００３８】
また、電力変換装置４０は、電力変換セル１２１，・・・，１２Ｋ，・・・，１２Ｎ、および電力変換セル１３１，・・・，１３Ｋ，・・・，１３Ｎを用い、バス１０００Ｖを共有して、互い通信を行って、電力変換セル１２１，・・・，１２Ｋ，・・・，１２Ｎ、および電力変換セル１３１，・・・，１３Ｋ，・・・，１３Ｎを統合的に制御する。
そして、正極性配線１５０１ｐと負極性配線１５０１ｎとの間から供給された直流電力（電圧）を、三相交流電力のＶ相の交流電圧に変換して、三相モータ３１３に供給する。
【００３９】
また、電力変換装置４０は、電力変換セル１４１，・・・，１４Ｋ，・・・，１４Ｎ、および電力変換セル１５１，・・・，１５Ｋ，・・・，１５Ｎを用い、バス１０００Ｗを共有して、互い通信を行って、電力変換セル１４１，・・・，１４Ｋ，・・・，１４Ｎ、および電力変換セル１５１，・・・，１５Ｋ，・・・，１５Ｎを統合的に制御する。
そして、正極性配線１５０１ｐと負極性配線１５０１ｎとの間から供給された直流電力（電圧）を、三相交流電力のＷ相の交流電圧に変換して、三相モータ３１３に供給する。
【００４０】
以上のようにして、電力変換装置４０は、正極性配線１５０１ｐと負極性配線１５０１ｎとの間から供給された直流電力（電圧）を、三相交流電力（電圧）に変換し、三相モータ３１３に供給する。
なお、図５において、バス１０００Ｕ，１０００Ｖ，１０００Ｗを、それぞれ独立に表記したが、バス１０００Ｕ，１０００Ｖ，１０００Ｗを一つのバスとして、統合的に、すべての電力変換セルを制御してもよい。
【００４１】
《電力変換セルの機能と動作》
電力変換セルの機能と動作の詳細を、図１を参照して説明する。
図１における電力変換セル１０１，・・・，１０Ｋ，・・・，１０Ｎは、ハードウェアとしての構成は、同一である。
電力変換セル１０１，・・・，１０Ｋ，・・・，１０Ｎの演算部２３０は、例えばマイコンで構成されている。各電力変換セルのそれぞれの演算部２３０は、ゲート部２３１を介して、スイッチング素子部２３２を制御する基本機能を有している。
ただし、電力変換装置（例えば電力変換装置１０）は、電力変換装置としての機能を発揮するために、電力変換セル１０１，・・・，１０Ｋ，・・・，１０Ｎを統合的に制御する必要がある。すなわち、電力変換セル１０１，・・・，１０Ｋ，・・・，１０Ｎのスイッチング動作を協調させる必要がある。
【００４２】
本発明の電力変換装置の実施形態においては、すべての電力変換セルを統合的に制御する例えば「中央制御装置」のような装置は、格別に備えていない。
ただし、すべての電力変換セルを統合的に制御する機能は必要である。すなわち、スイッチング動作を協調させるには、運転開始、運転停止、セル間同期用の同期信号など運転に関する情報が必要となる。
そのため、まず例えば、電力変換セル１０１の演算部２３０に、統合的に制御する役目を割り当てる。
【００４３】
統合的に制御する役目を割り当てられた電力変換セル１０１の演算部２３０は、電力変換セル１０１，・・・，１０Ｋ，・・・，１０Ｎを制御する信号を生成する。
電力変換セル１０１，・・・，１０Ｋ，・・・，１０Ｎを制御する信号である制御情報信号は、主として、電力変換セルにおけるゲート部２３１のデューティ情報の更新や、同期信号である。電力変換セルにおけるゲート部２３１の詳細な制御や管理の基本機能は、各電力変換セルの各演算部２３０が有している。
また、電力変換セル１０１の演算部２３０は、バス（バス回路）１０００の管理も取り仕切り、バス１０００におけるデータの衝突を防止する。
【００４４】
電力変換セル１０１の演算部２３０で生成した電力変換セルを制御に関する制御情報信号は、電力変換セル１０１の電力変換側絶縁通信送信部２２０Ｔに送られる。
電力変換側絶縁通信送信部２２０Ｔは、電力変換セル１０１のコントローラ側絶縁通信受信部２１０Ｒに絶縁通信（例えば光通信）で前記の制御情報信号を送る。
コントローラ側絶縁通信受信部２１０Ｒは、受け取った制御情報信号を電気信号として、バス１０００に伝達する。
【００４５】
電力変換セル１０１、および電力変換セル１０Ｋ（１＜Ｋ≦Ｎ）は、バス１０００から前記の制御情報信号を受信する。バス１０００は、電力変換セル１０１のコントローラ側絶縁通信送信部２１０Ｔ、および電力変換セル１０Ｋ（１＜Ｋ≦Ｎ）のコントローラ側絶縁通信送信部２１０Ｔは、並列に接続されているため、同時刻の通信となる。
そして、電力変換セル１０１、および電力変換セル１０Ｋ（１＜Ｋ≦Ｎ）のコントローラ側絶縁通信送信部２１０Ｔは、絶縁通信（例えば光通信）で前記の制御情報信号を、それぞれの電力変換側絶縁通信受信部２２０Ｒに送信する。
絶縁通信を介して、電力変換セル１０１、および電力変換セル１０Ｋ（１＜Ｋ≦Ｎ）の電力変換側絶縁通信受信部２２０Ｒは、前記の制御情報信号を受信する。この間の絶縁通信は同じハードウェアを用いているため、電力変換セル１０１〜１０Ｎの通信の遅延時間は同一となる。
【００４６】
それぞれの電力変換側絶縁通信受信部２２０Ｒは、前記の制御情報信号を電気信号に変換して、電力変換セル１０１、および電力変換セル１０Ｋ（１＜Ｋ≦Ｎ）の演算部２３０に送る。
各演算部２３０は、受信した信号に自分宛の識別子か、ブロードキャスト用の識別子、自グループ宛のマルチキャスト用の識別子がある場合に情報を取得し、ない場合は情報を廃棄する。なお、前記の識別子および信号の詳細については、後記する。
各演算部２３０は、取得した情報に基づいて各ゲート部２３１を制御する。そして各ゲート部２３１は、スイッチング素子部２３２を駆動する。
【００４７】
以上によって、電力変換セル１０１，・・・，１０Ｋ，・・・，１０Ｎを備えた電力変換装置（電力変換装置）は、電力変換を行う。
【００４８】
なお、前記したように、電力変換セル１０１の演算部２３０は、電力変換セル１０１，・・・，１０Ｋ，・・・，１０Ｎを制御する信号を生成する。すなわち、電力変換セル１０１は、電力変換セル１０１自身の制御信号を生成しているので、この電力変換セル１０１自身の制御信号を、電力変換側絶縁通信送信部２２０Ｔに送らずに、電力変換セル１０１の演算部２３０からゲート部２３１に直接、送ることは原理的に可能である。しかし、電力変換セル１０１は、他の電力変換セル１０２，・・・，１０Ｋ，・・・，１０Ｎの制御信号と同様に電力変換セル１０１自身の制御信号（制御情報信号）も、電力変換側絶縁通信送信部２２０Ｔに送り、他の電力変換セルと同様に、バス１０００を経由した前記の情報信号（制御情報信号）を受信する。この方法によって、電力変換セル１０１，・・・，１０Ｋ，・・・，１０Ｎが同期して統一された動作をする。
また、電力変換側絶縁通信送信部２２０Ｔがコントローラ側絶縁通信受信部２１０Ｒに送信するタイミングと、コントローラ側絶縁通信送信部２１０Ｔが電力変換側絶縁通信受信部２２０Ｒに送信するタイミングとは、異なっている。すなわち、コントローラ部１１０Ｃと電力変換部１２０Ｐとの間の絶縁通信は、情報の送受信を時間で分割する方法を用いている。
【００４９】
＜通信方法のフローチャート＞
次に、通信方法の概要をフローチャートで説明する。
図６は、本発明の実施形態に係る通信方法の概要を示すフローチャートである。
【００５０】
《ステップＳ６０１》
通信を開始（ステップＳ６００）すると、ステップＳ６０１においては、暫定的に電力変換装置（例えば電力変換装置：図２）の制御を統括している電力変換セル１０１の演算部２３０が識別子付のスイッチング情報を作成する。
なお、演算部２３０は、宛先が特定の一つの電力変換セルが受け取る情報には、ユニキャスト用の識別子を付加する。また、演算部２３０は、宛先が特定の複数の電力変換セルが受け取る情報には、マルチキャスト用の識別子を付加する。また、演算部２３０は、すべての電力変換セルが受け取る情報には、ブロードキャスト用の識別子を付加する。
そして、演算部２３０は、前記の識別子付のスイッチング情報を電力変換側絶縁通信送信部２２０Ｔに送る。
そして、電力変換側絶縁通信送信部２２０Ｔは、前記の識別子付のスイッチング情報（制御情報信号）をコントローラ側絶縁通信受信部２１０Ｒへ、絶縁通信（例えば光通信）で送信する。
【００５１】
《ステップＳ６０２》
ステップＳ６０２において、コントローラ側絶縁通信受信部２１０Ｒは、前記の識別子付のスイッチング情報を受信し、この識別子付のスイッチング情報を、電気信号で、バス１０００へ伝送する。
【００５２】
《ステップＳ６１３》
ステップＳ６１３〜Ｓ６１８は、電力変換セル１０１における動作である。
ステップＳ６１３において、電力変換セル１０１は、バス１０００から、前記の識別子付のスイッチング情報をコントローラ部１１０Ｃで受信する。
なお、前記の識別子付のスイッチング情報は、元々、電力変換セル１０１の演算部２３０が作成したものであるが、他の電力変換セル１０２〜１０Ｎと同様に、バス１０００から受信する。
【００５３】
《ステップＳ６１４》
ステップ６１４において、電力変換セル１０１のコントローラ側絶縁通信送信部２１０Ｔが、前記の識別子付のスイッチング情報を電力変換側絶縁通信受信部２２０Ｒへ絶縁通信（例えば光通信）で送信する。
【００５４】
《ステップＳ６１５》
ステップＳ６１５において、電力変換セル１０１の電力変換側絶縁通信受信部２２０Ｒが、前記の識別子付のスイッチング情報を受信し、電気信号に変換して、演算部２３０へ送る。
【００５５】
《ステップＳ６１６》
ステップＳ６１６において、演算部２３０は、送られてきた前記の識別子付のスイッチング情報における識別子を検出して、電力変換セル１０１宛か否かを判定する。
電力変換セル１０１宛である場合（Ｙｅｓ）、ステップＳ６１７に進む。
電力変換セル１０１宛でない場合（Ｎｏ）、ステップＳ６１８に移る。
【００５６】
《ステップＳ６１７》
ステップＳ６１７において、演算部２３０が電力変換セル１０１宛のスイッチング情報として判定したので、電力変換セル１０１として、このスイッチング情報を有効なものとして、受信する。
【００５７】
《ステップＳ６１８》
ステップＳ６１８において、演算部２３０が電力変換セル１０１宛のスイッチング情報ではないとして判定したので、電力変換セル１０１として、このスイッチング情報を無視して、破棄する。
【００５８】
《ステップＳ６Ｎ３》
ステップＳ６Ｎ３〜Ｓ６Ｎ８は、電力変換セル１０Ｎにおける動作である。ステップＳ６Ｎ３〜Ｓ６Ｎ８は、バス１０００から識別子付のスイッチング情報を受信した以降のステップである。
そのため、ステップＳ６Ｎ３〜Ｓ６Ｎ８と、ステップＳ６１３〜Ｓ６１８との相違は、電力変換セル１０Ｎの場合でも電力変換セル１０１場合と同じである。
重複する説明は、省略する。
【００５９】
図６においては、電力変換セル１０１と電力変換セル１０Ｎとにおける識別子付のスイッチング情報の流れについて説明した。
実際には、図６には、表記していない（Ｎ−２）個の電力変換セルＫ（２≦Ｋ≦Ｎ−１）があるが、前記した電力変換セル１０Ｎの場合と同様の識別子付のスイッチング情報の流れであるので、重複する説明は、省略した。
【００６０】
＜識別子と情報の構成＞
識別子付のスイッチング情報の構成について説明する。
図７は、本発明の実施形態に係る電力変換装置の複数の電力変換セルにおいて、通信に用いられる識別子付のスイッチング情報の構成例を示す図である。
複数の電力変換セルにおける通信の際に送られるデータは、図７に示すように、宛先通信データ７０１と制御通信データ７０２とを有して構成される。
通信の宛先通信データ７０１は、７ビット（ｂｉｔ）で構成されている。
宛先通信データ７０１の最初（１番目）のビットが「１」のときは、すべての電力変換セルが受け取るブロードキャストとしている。
また、宛先通信データ７０１の最初（１番目）のビットが「０」で、２番目のビットが「１」のときは、３番目のビット以降で指定されるグループ番号のマルチキャストとしている。
また、宛先通信データ７０１の最初（１番目）のビットと２番目のビットが共に「０」のときは、ユニキャストとし、３番目のビット以降で指定される番号の電力変換セルに情報を送る。
【００６１】
スイッチング情報に関する制御通信データ７０２は、８ビット（ｂｉｔ）で構成されている。制御通信データ７０２の１番目から３番目までの３ビットは、運転制御に用いられる。
例えば、１番目から３番目までビットの構成が「１，０，０」のときは、ＰＷＭ（Pulse Width Modulation）を同期させる同期信号とし、「０，１，０」のときは、運転開始とし、「０，０，０」のときは、４番目以降のビットをスイッチングのデューティ情報としている。
【００６２】
＜電力変換セル１０Ｎ宛の運転に関する情報と、同期信号の時刻の関係＞
図８は、本発明の実施形態に係る複数の電力変換セルの通信において、ユニキャストで送られた電力変換セル１０Ｎ宛の運転に関する情報と、同期信号の時刻（時間、時間の推移）の関係の一例を示す図である。なお、横軸が時刻を表している。
図８において、電力変換セル１０１（図１）の演算部２３０（図１）が、電力変換セル１０Ｎ（図１）のスイッチングに関する情報（例えばデューティ比）を送信する。
バス１０００（図１）には、制御情報信号として、図８に示す電力変換セル１０Ｎ宛ての自セル宛情報８０１と、他の電力変換セル宛ての他セル宛情報（識別子付のスイッチング情報）８０２が伝送されている。
【００６３】
電力変換セル１０Ｎは、バス１０００に伝送されているデータ、すなわち自セル宛情報８０１や他セル宛情報８０２において、そのデータの宛先を示す識別子を、演算部２３０で検出する。
そして、識別子から自セル（電力変換セル１０Ｎ）宛てと判定した場合には、電力変換セル１０Ｎ宛ての自セル宛情報８０１を取り込み（受信）、電力変換セル１０Ｎの演算部２３０が保持する。
【００６４】
なお、電力変換セル１０Ｎは、他の電力変換セル宛ての他セル宛情報８０２に対しては、他セル（他の電力変換セル）宛てと判定する。
そして、電力変換セル１０Ｎの演算部２３０は、他セル宛情報８０２を無視する、あるいはデータを破棄する。
【００６５】
その後、電力変換セル１０１の演算部２３０が、同期信号８０４をすべての電力変換セル宛にブロードキャストで送信する。
電力変換セル１０Ｎは、同期信号８０４がブロードキャストで送られてきているので、この同期信号８０４を受信する。
そして、電力変換セル１０Ｎは、同期信号８０４を受信後、この同期信号８０４をトリガーとして、直ちに、電力変換セル１０Ｎのゲート部２３１にデューティ情報８０６を反映し、デューティを更新する。
この自セル宛情報８０１を演算部２３０が保持して、ゲート部２３１にデューティ情報８０６を反映する工程を、図８では、データ保持反映工程８０３として表記している。
【００６６】
なお、前記の同期信号８０４の送信間隔は、定期的でも不定期的でもよい。
また、電力変換セル１０Ｎがスイッチングに関する情報を受け取った後、所定の時間（例えば電力変換セル１０Ｎの制御周期）に同期信号８０４がない場合、電力変換セル１０Ｎが作成する制御周期８０５の間隔で、ゲート部２３１のデューティ情報を更新する。
また、前記のように、同期信号８０４がブロードキャストで送られているので、電力変換セル１０Ｎについて説明したが、他の電力変換セル１０Ｋ（１≦Ｋ＜Ｎ）についても、同期信号８０４は、取り込む。
【００６７】
＜電力変換セル１０１の演算部２３０が故障した場合＞
以上は、電力変換セル１０１の演算部２３０が電力変換装置のすべての電力変換セルを統括的に制御している場合として説明した。
しかし、電力変換セル１０１〜１０Ｎは、前記したようにハードウェアとしては同一の構造である。電力変換セル１０１と同様の機能を他の電力変換セル１０Ｋ（２≦Ｋ≦Ｎ−１）も有している。
そのため、暫定的に各電力変換セルを統合的に制御していた電力変換セル１０１の演算部２３０が故障した（例えば信号が出ない）と感知された場合には、他の電力変換セルの演算部２３０が、代わって全体を取り仕切る。
他の電力変換セルの演算部２３０が各電力変換セルを統合的に制御する方法は、前記した電力変換セル１０１の演算部２３０が行う方法と同一である。
また、電力変換セル１０１の演算部２３０が故障しない場合においても、例えば定期的に、各電力変換セルを統合的に制御する演算部を有する電力変換セルをローテーションしてもよい。
【００６８】
なお、図１において、電力変換セル１０Ｎや電力変換セル１０Ｋにおける電力変換側絶縁通信送信部２２０Ｔやコントローラ側絶縁通信受信部２１０Ｒの動作について説明をしなかったが、電力変換セル１０Ｎや電力変換セル１０Ｋにおける電力変換側絶縁通信送信部２２０Ｔやコントローラ側絶縁通信受信部２１０Ｒは、電力変換セル１０Ｎや電力変換セル１０Ｋの演算部２３０が各電力変換セルを統合的に制御する場合に、主として動作をする。
【００６９】
＜実施形態の効果＞
本発明の実施形態では、複数の電力変換セル内で短距離の絶縁通信を行うことで、絶縁通信の価格を下げる効果がある。
また、電力変換セル内で絶縁を取っているため、信号の対地電圧を低く抑え、信号線の絶縁耐圧を小さくできる効果がある。
また、各電力変換セルのハードウェア構成を同一としているため、電気信号と絶縁通信の信号変換に要するハードウェア遅延は同じとなって、高い同期性を確保することができる。
【００７０】
また、複数の電力変換セルの通信をバスによる電気信号によって、並列に行うので、直列の光通信に比較して、通信の信頼性、冗長性が高い。
また、複数の電力変換セルにおいて、暫定的に一つの電力変換セルが運転に関する情報を統括して送信することで専用の中央制御装置を不要としている。そのため、前記の情報を統括して送信する一つの電力変換セルが故障した場合にも、他の電力変換セルが置き換わることができる。したがって、電力変換装置としてのハードウェアの冗長性を確保し、向上させている。
以上より、廉価で信頼性の高い電力変換装置を提供できる。
【００７１】
≪その他の実施形態≫
なお、本発明は、以上に説明した実施形態に限定されるものでなく、さらに様々な変形例が含まれる。例えば、前記の実施形態は、本発明を分かりやすく説明するために、詳細に説明したものであり、必ずしも説明したすべての構成を備えるものに限定されるものではない。また、ある実施形態の構成の一部を他の実施形態の構成の一部で置き換えることが可能であり、さらに、ある実施形態の構成に他の実施形態の構成の一部または全部を追加・削除・置換をすることも可能である。
以下に、その他の実施形態や変形例について、さらに説明する。
【００７２】
《電力変換セル内の電力変換部からの出力部の接続方法》
図１、および図２〜図５で示した本実施形態の例では、電力変換セル内の電力変換部からの出力部（出力端子）の接続については、直列接続として例示し、説明した。
しかし、直列接続には、限定されない。出力する電流を多くする必要がある負荷を接続する場合は、出力部を並列に接続してもよい。また、直列と並列を、組み合わせる場合もある。
【００７３】
《演算部とコントローラ部との機能の配分》
図１で示した本実施形態の例では、運転に関する情報の作成や、受信した情報の取捨選択、ゲート部への反映などの機能を一括して電力変換部側の演算部に配置するものとして説明した。しかし、前記の機能の配分は、これに限定されない。
例えば、運転に関する情報の作成や情報の取捨選択などの機能を持たせた演算部をコントローラ部に配置してもよい。
この場合は電力変換部側の演算部の負荷が軽くなる効果がある。
【００７４】
《識別子の情報の構成》
図７においては、宛先通信データ７０１と制御通信データ７０２について、それぞれビット数と、具体的な構成を説明した。しかし、図７で示した例に限定されない。
目的、用途に応じて、それぞれのビット数を増減することは可能であり、かつそれぞれのデータが意味する構成、配置は、様々に設定することが可能である。
【００７５】
《絶縁通信》
本実施形態では、電力変換側絶縁通信送信部２２０Ｔがコントローラ側絶縁通信受信部２１０Ｒに送信するタイミングと、コントローラ側絶縁通信送信部２１０Ｔが電力変換側絶縁通信受信部２２０Ｒに送信するタイミングとは、異なっている。すなわち、コントローラ部１１０Ｃと電力変換部１２０Ｐとの間の絶縁通信は、情報の送受信を時間で分割する方法を示した。
しかしながら、コントローラ部１１０Ｃと電力変換部１２０Ｐとの間の絶縁通信は、前記の方法に限定されない。コントローラ部１１０Ｃと電力変換部１２０Ｐとの間の絶縁通信の送受信を、例えば、モデムを用いて周波数で分割する方法を用いてもよい。この場合には、同時刻に送受信が可能となる効果がある。
また、絶縁通信は、光通信に限定されない。例えば、トランスを介する方法もある。
【符号の説明】
【００７６】
１０，２０，３０，４０    電力変換装置
１０１〜１０Ｎ，１１１〜１１Ｎ，１２１〜１２Ｎ，１３１〜１３Ｎ，１４１〜１４Ｎ，１５１〜１５Ｎ    電力変換セル
１１０Ｃ    コントローラ部
１２０Ｐ    電力変換部
２１０Ｒ    コントローラ側絶縁通信受信部
２１０Ｔ    コントローラ側絶縁通信送信部
２２０Ｒ    電力変換側絶縁通信受信部
２２０Ｔ    電力変換側絶縁通信送信部
２３０    演算部
２３１    ゲート部
２３２    スイッチング素子部
１０００，１０００Ｕ，１０００Ｖ，１０００Ｗ    バス（通信線、バス回路）
３０１，３０２，３０３    負荷
３１１    交流電源
３１２    三相交流電源
３１３    三相モータ
７０１    宛先通信データ
７０２    制御通信データ
８０１    自セル宛情報
８０２    他セル宛情報
８０３    データ保持反映工程８０３
８０４    同期信号
８０５    制御周期
８０６    デューティ情報
１２０１ｐ，１３０１ｐ，１４０１ｐ，１５０１ｐ    正極性配線
１２０１ｎ，１３０１ｎ，１４０１ｎ，１５０１ｎ    負極性配線
ＳＡ１０１，ＳＡ１０Ｋ，ＳＡ１０Ｎ，ＳＢ１０１，ＳＢ１０Ｋ，ＳＢ１０Ｎ    出力端子
【図１】
2018196188.tif 000003
【図２】
2018196188.tif 000004
【図３】
2018196188.tif 000005
【図４】
2018196188.tif 000006
【図５】
2018196188.tif 000007
【図６】
2018196188.tif 000008
【図７】
2018196188.tif 000009
【図８】
2018196188.tif 000010